(57)【要約】【課題】故障や異常のあるレピータユニットを簡単に見分けることができ、同レピータユニットを簡単に増設・置換できるレピータユニット集合装置を得るにある。【解決手段】交換機能をもつ構内交換装置１と信号線２を介してこれに結合される複数の基地局３との間にそれぞれ設置される複数のレピータユニット２０を備えるデジタル無線通信設備において、前記レピータユニット２０を収容できる容量の前ドア１１ａ付きキャビネット１１と、表面に前記レピータユニット２０を並列的に搭載されかつ手前側を低くした複数の並列棚板５１とを備え、前ドア１１ａを開いた状態でキャビネット１１の手前からレピータユニット２０の表示部２１を一斉に視認でき、前記各棚板５１は個別にキャビネット１１から取り外せるレピータユニット集合装置。【選択図】　　　　図３
2004135103.tif 000002
【特許請求の範囲】
【請求項１】
交換機能をもつ構内交換装置と信号線を介してこれに結合される複数の基地局との間にそれぞれ設置される複数のレピータユニットを備えるデジタル無線通信設備において、前記レピータユニットを収容できる容量の前ドア付きキャビネットと、表面に前記レピータユニットを並列的に搭載されかつ手前側を低くした複数の並列棚板とを備え、前ドアを開いた状態でキャビネットの手前からレピータユニットの表示部を一斉に視認でき、前記各棚板は個別にキャビネットから取り外せることを特徴とするレピータユニット集合装置。
【請求項２】
前記キャビネットの内側面には水平面に対して傾斜した方向に整列する複数組の支持ピンが設けられ、各棚板の側壁後部には各組の前記支持ピンに対応して設けられるガイドピンに係合する長孔が形成され、前記棚板側壁の下縁には前記支持ピンに係合して各棚板の滑落を止めるストッパが設けられることを特徴とする請求項１記載のレピータユニット集合装置。
【発明の詳細な説明】
【０００１】
【発明の属する技術分野】
本発明はデジタル無線通信システムに関し、特に、同システムに用いる多数のレピータユニットを収容する集合装置に関する。
【０００２】
【背景技術】
周知のように、工場やプラント、建築現場などにおいては、管理部所と現場との間の情報交換や非常連絡のために、例えば１．９ＧＨｚといった高周波帯域のデジタル無線通信システム（設備）が用いられている。
【０００３】
即ち、このデジタル無線通信システムにあっては、主装置である構内交換装置１に対して信号線２で結合された複数の基地局３を介して、多数の移動端末４が無線通信を行う。
【０００４】
ちなみに、同デジタル無線通信システムにおける構内交換装置１から基地局３までの距離が長くなり、信号線２（ケーブル）の長さが１ｋｍ程度を越えると、電圧降下などで信号劣化が生じるため、大規模工場や広域プラントでは、図６に示すようなレピータ５（信号波形等化装置）が構内交換装置１と各基地局３との間に設置される必要がある。
【０００５】
つまり、このレピータ５（信号波形等化装置）は構内交換装置１と各基地局３との間の信号線２間に設置されるもので、電源供給や信号再生を行なうレピータ５によれば、実質的な構内交換装置１と各基地局３と間の通信距離を延長できる。
【０００６】
【発明が解決しようとする課題】
ところで、石油プラントなどの大規模施設においては、多数の基地局３が広域に設置されるけれども、これに伴って構内交換装置１と各基地局３との間に多数のレピータ５が付設されることになる。
しかしながら、このような目的の多数のレピータ５が様々な位置に無秩序に設置されると、システム故障時やメンテナンス作業時などの点検の際、いちいち各レピータ５位置でその動作状態を確認して故障したレピータ５を取り換えなければならず、作業能率が著しく悪いものとなる。
【０００７】
このため、従来では、ケースに入れた多数のレピータユニットをひとつのキャビネット中に納める工夫がなされているけれども、多数のレピータユニットをキャビネットに収納しただけでは、故障や異常のあるレピータユニットを視認したり、取り換えるのは容易でない。
【０００８】
本発明の目的は、以上に述べたような従来のレピータユニット集合装置の現状に鑑み、故障や異常のあるレピータユニットを簡単に見分けることができ、同レピータユニットを簡単に増設・置換できるレピータユニット集合装置を得るにある。
【０００９】
【課題を解決するための手段】
この目的は、本発明によれば、交換機能をもつ構内交換装置と信号線を介してこれに結合される複数の基地局との間にそれぞれ設置される複数のレピータユニットを備えるデジタル無線通信設備において、前記レピータユニットを収容できる容量の前ドア付きキャビネットと、表面に前記レピータユニットを並列的に搭載されかつ手前側を低くした複数の並列棚板とを備え、前ドアを開いた状態でキャビネットの手前からレピータユニットの表示部を一斉に視認でき、前記各棚板は個別にキャビネットから取り外せるレピータユニット集合装置により達成される。
【００１０】
後述する本発明の好ましい実施例の説明においては、
１）前記キャビネットの内側面には水平面に対して傾斜した方向に整列する複数組の支持ピンが設けられ、各棚板の側壁後部には各組の前記支持ピンに対応して設けられるガイドピンに係合する長孔が形成され、前記棚板側壁の下縁には前記支持ピンに係合して各棚板の滑落を止めるストッパが設けられる構造
が説明される。
【００１１】
【発明の実施の形態】
以下、図１から図５について本発明の実施例の詳細を説明する。
図１は本発明のレピータユニット集合装置１０を組み入れたデジタル無線通信システム（設備）の概念図である。
【００１２】
即ち、プラントの管理舎屋などに設置される構内交換装置１は信号線２によって詳細を後述するレピータユニット集合装置１０に結合され、同レピータユニット集合装置１０に収容された多数のレピータユニット２０に接続される多数の基地局３に個別接続され、これらの基地局３に電気的に結合するアンテナを介して多数の移動端末４が互いに交信できる。
【００１３】
図２及び図３は本発明によるレピータユニット集合装置１０の全体を示し、このレピータユニット集合装置１０は図示を省略する建物室内壁面に対して背合わせの状態として設置できるスチール製キャビネット１１を有しており、このキャビネット１１の内部空間中には多数のレピータユニット２０が並列状態で収納できる。
また、下部に配電盤４０（図２）を組み込むキャビネット１１は右ヒンジの前ドア１１ａを備えており、同前ドア１１ａを開放することにより収容された多数のレピータユニット２０及び配電盤４０が外部に露呈できる。
【００１４】
前ドア１１ａの開放状態では、収容された前部のレピータユニット２０の表示部２１（図４）を一望の下に視認でき、不動作または異常動作のレピータユニット２０を端的に知ることができる。
また、配電盤４０の中央にはキャビネット１１の内壁面のスルーホール１２を経由した結線により各レピータユニット２０に結合される内部接続端子４１が設けられ、この内部接続端子４１の両側には構内交換装置１に至る信号線２が結合される交換機側端子４２及び外部の各基地局３に結合される局線端子４３が配置される。
【００１５】
前記キャビネット１１の内壁面には上下方向に隣り合った支持手段が設けられ、これらの支持手段には手前側を下にした状態で傾けられた複数の棚板５１が支持される。
図２に示すように、各棚板５１に対しては左右方向に整列した４個づつのレピータユニット２０が搭載されるが、併設個数は任意とする同レピータユニット２０の表示部２１は、図４から理解できるように、棚板５１の下部、即ちキャビネット１１の手前に位置にしてある。このため、キャビネット１１から僅かに離れた位置に立てば、前部のレピータユニット２０の表示部２１を視界内に置くことができるため、一望の下に不動作または異常動作のレピータユニット２０を端的に知ることができる。
【００１６】
図４は棚板５１の支持手段の具体例を示し、各支持手段は前部側を下にした状態で傾けて設置される左右２組の前部支持ピン６１及び後部支持ピン６２で構成される。
即ち、キャビネット１１の左右内壁面にそれぞれ片持ち状態で固定される各組の前部支持ピン６１及び後部支持ピン６２に対しては、４個づつのレピータユニット２０を表面に搭載された対応棚板５１が載置されるけれども、各組の前部支持ピン６１及び後部支持ピン６２に臨むガイドピン７１がキャビネット１１の内側面に固定され、これらのガイドピン７１は棚板５１の側壁５２に形成する長孔５３に係合してある。
また、各前部支持ピン６１に臨む棚板５１の側壁５２の下縁には棚板５１の滑落を防止するストッパ５４が突出成形されるから、同ストッパ５４と前部支持ピン６１との係合により各棚板５１は図４の実線示の位置に保持される。
【００１７】
なお、キャビネット１１の内壁面には棚板５１に対応した多数のスルーホール１２及びこれらのスルーホール１２を経由した線群を通すことができる導入孔１３が形成されるが、これらのスルーホール１２には対応レピータユニット２０に接続される信号線２の余長分を挿入できる。
【００１８】
前記実施例によるレピータユニット集合装置１０は、以上のような構成であるから、収容された多数のレピータユニット２０は前部を下にした状態で上下に整列された状態にある。このため、各レピータユニット２０の前部上面にある表示部２１はキャビネット１１の手前に完全に露呈された状態にあるから、キャビネット１１から僅かに離れた位置に立てば、点滅する前部の表示部２１を一望するだけで、不動作や異常動作のレピータユニット２０を簡単に認識できる。
【００１９】
また、新たなレピータユニット２０の増設や故障したレピータユニット２０の交換の際は、対応棚板５１ごとキャビネット１１から取り外して外部作業できる。つまり、棚板５１を外すには、図４の矢印で示すように、当棚板５１を僅かに押せば、ストッパ５４が前部支持ピン６１から外れるので、同棚板５１の前部を図５に示すようにほぼ水平状態まで持ち上げると、棚板５１がガイドピン７１を支点として回動され、棚板５１の側壁５２が両前部支持ピン６１及び後部支持ピン６２から完全に外れる。
したがって、棚板５１に加わる重量を手で支えながら同棚板５１を手前に引くと、ガイドピン７１から長孔５３が外れるから、キャビネット１１の外部で新たなレピータユニット２０の組付けや故障レピータユニット２０の取り替えを行うことができる。
【００２０】
そして、レピータユニット２０の修理や組付けを終了した棚板５１をキャビネット１１に戻すには、前述とは逆に、ガイドピン７１に長孔５３を合わせて棚板５１をほぼ水平な状態に保ち、同棚板５１をキャビネット１１の内部に押し進め、充分に押し進めた状態で棚板５１の前部を下降させれば、同棚板５１の側壁５２の下縁が両前部支持ピン６１及び後部支持ピン６２に当接する。
よって、この状態で棚板５１から手を離せば、両前部支持ピン６１及び後部支持ピン６２に沿って棚板５１が僅かに下降し、ストッパ５４が前部支持ピン６１に当接した位置で停止され、多少の振動が加わっても棚板５１がキャビネット１１から外れることがなくなる。
【００２１】
なお、図示実施例では、突起状に加工されたストッパ５４の例を例示したけれども、同ストッパ５４は前部支持ピン６１に係合できる”Ｌ”字状に加工されてもよく、このような”Ｌ”字状ストッパ５４によると、前部支持ピン６１に対する係合状態はロック状態となるため、地震などの揺れに対しても安全な構造とすることができる。
【００２２】
【発明の効果】
以上の説明から明らかなように、本発明のレピータユニット集合装置においては、キャビネット内に格納された多数のレピータユニットの表示部を一望できるため、故障したレピータユニットを簡単に発見できるばかりでなく、レピータユニットの増設や交換作業をキャビネット外で行え、棚板の着脱操作も簡単である。
また、本発明のレピータユニット集合装置は、室内壁面に背合わせの状態に設置できるから、室内空間を効果的に活用でき、保守・管理の際においても、前ドアを開放するだけでレピータユニットの動作状態の監視や作業を行うことができる利点がある。
【図面の簡単な説明】
【図１】本発明によるレピータユニット集合装置を組み込んだデジタル無線通信システムの概念図である。
【図２】前面ドアを開けた状態の同レピータユニット集合装置の正面図である。
【図３】図２の３−３線に沿った断面図である。
【図４】ひとつのレピータユニットを示す図３の要部拡大断面図である。
【図５】メンテナンス時のレピータユニットの取り外し操作説明図である。
【図６】レピータユニットを用いる従来のデジタル無線通信システムの概念図である。
【符号の説明】
１　　　構内交換装置
２　　　信号線
３　　　基地局
４　　　移動端末
５　　　レピータ
１０　　レピータユニット集合装置
１１　　キャビネット
１１ａ　前ドア
２０　　レピータユニット
２１　　表示部
３０　　アンテナ
４０　　配電盤
５１　　棚板
５２　　側壁
５３　　長孔
５４　　ストッパ
６１　　前部支持ピン
６２　　後部支持ピン
７１　　ガイドピン
【図１】
2004135103.tif 000003
【図２】
2004135103.tif 000004
【図３】
2004135103.tif 000005
【図４】
2004135103.tif 000006
【図５】
2004135103.tif 000007
【図６】
2004135103.tif 000008